(57)【特許請求の範囲】
【請求項１】
ページングチャネルを受信するユーザの属するグループＩＤと、前記ページングチャネルが送信される無線リソース情報とを含むページングインジケータ情報を生成するページングインジケータ情報生成手段；
前記ページングインジケータ情報を多重する多重手段；
を備え、
前記ページングインジケータ情報生成手段は、無線リソース情報として、システム帯域幅を連続する周波数サブキャリアからなるブロックに分割した周波数ブロックのうち、前記ページングチャネルに割り当てる周波数ブロックを示す情報を生成することを特徴とする送信装置。
【請求項２】
請求項１に記載の送信装置において：
前記ページングインジケータ情報生成手段は、所定のビットから成るグループＩＤを生成することを特徴とする送信装置。
【請求項３】
請求項１に記載の送信装置において：
ページングチャネルに割り当てる周波数ブロックの数と、その位置とが予め対応づけられ、
前記ページングインジケータ情報生成手段は、前記ページングチャネルに割り当てる周波数ブロックの数を示す情報を生成することを特徴とする送信装置。
【請求項４】
請求項１に記載の送信装置において：
前記多重手段は、前記グループＩＤおよび無線リソースを示す情報をＬ１／Ｌ２制御チャネルに多重することを特徴とする送信装置。
【請求項５】
請求項４に記載の送信装置において：
前記ページングインジケータ情報生成手段は、トリガーとなる情報を生成し、
前記多重手段は、前記トリガーをページングインジケータチャネルに多重することを特徴とする送信装置。
【請求項６】
請求項１に記載の送信装置において：
前記多重手段は、前記グループＩＤをページングインジケータチャネルに多重し、前記無線リソースを示す情報をＬ１／Ｌ２制御チャネルに多重することを特徴とする送信装置。
【請求項７】
請求項１に記載の送信装置において：
前記多重手段は、前記グループＩＤおよび無線リソースを示す情報をページングインジケータチャネルに多重することを特徴とする送信装置。
【請求項８】
請求項７に記載の送信装置において：
前記多重手段は、前記ページングインジケータチャネルを、ページングチャネルに対して少なくとの１サブフレーム間隔を設けてマッピングすることを特徴とする送信装置。
【請求項９】
請求項７に記載の送信装置において：
前記多重手段は、ページングチャネル、ページングインジケータチャネル復調用のセクタ共通パイロットチャネルとＬ１／Ｌ２制御チャネル復調用のセクタ固有パイロットチャネルを多重することを特徴とする送信装置。
【請求項１０】
請求項９に記載の送信装置において：
前記多重手段は、セクタ共通パイロットとセクタ固有パイロットを少なくとも１つの同じＯＦＤＭシンボルに多重することを特徴とする送信装置。
【請求項１１】
請求項７に記載の送信装置において：
前記ページングインジケータチャネルおよびページングチャネルに対して、セクタ間でスクランブルコードおよび送信タイミングを共通にする制御手段；
を備えることを特徴とする送信装置。
【請求項１２】
請求項７に記載の送信装置において：
前記ページングインジケータチャネルおよびページングチャネルに対して、周波数領域でセクタ固有の直交コードを多重する制御手段；
を備えることを特徴とする送信装置。
【請求項１３】
請求項１に記載の送信装置において：
前記グループＩＤの数と、ページングチャネルに割り当てる周波数ブロックの数と、その位置との対応を示す情報とを含むシステム情報を生成するシステム情報生成手段；
を備え、
前記多重手段は、前記システム情報を報知チャネルに多重することを特徴とする送信装置。
【請求項１４】
ページングチャネルを受信するユーザの属するグループＩＤと、前記ページングチャネルが送信される無線リソース情報とを含むページングインジケータ情報を受信するページングインジケータ情報受信手段；
前記グループＩＤに基づいて、呼出し対象となるユーザＩＤを示す情報を含むページングチャネルを受信するページング情報受信手段；
を備え、
前記ページングインジケータ情報受信手段は、無線リソース情報として、システム帯域幅を連続する周波数サブキャリアからなるブロックに分割した周波数ブロックのうち、前記ページングチャネルに割り当てられた周波数ブロックを示す情報を受信することを特徴とする受信装置。
【請求項１５】
請求項１４に記載の受信装置において：
ページングインジケータ情報受信手段およびページング情報受信手段は、ソフトコンバイニングを適用し、前記ページングインジケータ情報およびページングチャネルを受信することを特徴とする受信装置。
【請求項１６】
ページングチャネルを受信するユーザの属するグループＩＤと、前記ページングチャネルが送信される無線リソース情報とを含むページングインジケータ情報を受信するステップと、
前記グループＩＤに基づいて、呼出し対象となるユーザＩＤを示す情報を含むページングチャネルを受信するステップと、
を備え、
前記ページングインジケータ情報を受信するステップは、無線リソース情報として、システム帯域幅を連続する周波数サブキャリアからなるブロックに分割した周波数ブロックのうち、前記ページングチャネルに割り当てられた周波数ブロックを示す情報を受信することを特徴とするページング情報受信方法。
【発明の詳細な説明】
【技術分野】
【０００１】
本発明は、送信装置、受信装置およびページング情報受信方法に関する。
【背景技術】
【０００２】
移動体通信では端末に対して着信があった場合、その旨を端末に通知する必要がある。ネットワークは端末の位置情報を位置登録エリアで管理しており、位置登録エリアごとにＬＡＩ（Ｌｏｃａｔｉｏｎ  Ａｒｅａ  Ｉｄｅｎｔｉｆｉｅｒ）が割り当てられている。ネットワークでは端末が位置登録している位置登録エリア内の全端末に対して着信があったことを同報的に通知する。この手順をページングと呼ぶ（例えば、非特許文献１参照）。
【０００３】
Ｗ−ＣＤＭＡにおけるページング情報の受信手順について、図１を参照して説明する。
【０００４】
受信装置では、ページングインジケータチャネル（ＰＩＣＨ：  Ｐａｇｉｎｇ  Ｉｎｄｉｃａｔｏｒ  Ｃｈａｎｎｅｌ）が受信される（ステップＳ２）。ＰＩＣＨは、ＰＣＨ（Ｐａｇｉｎｇ  Ｃｈａｎｎｅｌ）を受信すべきユーザグループのＩＤを示す。例えば、図２に示すように、グループＩＤ毎のフラグが用意される。例えば、７２のユーザグループある場合、７２ビット用意される。ＰＩＣＨにより、複数のグループＩＤを同時に呼び出せるようになっている。
【０００５】
次に、受信装置は、ＰＣＨを受信する（ステップＳ４）。ＰＣＨはＰＩＣＨで指示されたグループＩＤのユーザが受信するチャネルであり、実際に呼び出されているユーザＩＤが書いてある。例えば、ユーザＩＤは、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）と呼ばれ、３２ビットで表される。Ｗ−ＣＤＭＡでは、１つのＰＣＨで５人分の呼び出しユーザＩＤを通知できる。さらに、なぜ呼び出されたかを示すＣａｕｓｅ  ＩＤも付加される。このＣａｕｓｅ  ＩＤは、通信種別、例えば音声などを示し、２−３ビット程度である。
【０００６】
次に、受信装置は、報知チャネル（ＢＣＨ：  Ｂｒｏａｄｃａｓｔ  Ｃｈａｎｎｅｌ）を受信する。ＰＣＨで呼び出されたユーザは、ＲＡＣＨ（Ｒａｎｄｏｍ  Ａｃｃｅｓｓ  Ｃｈａｎｎｅｌ）を送信してＩｎｉｔｉａｌ  ａｃｃｅｓｓを行うが、その前にＢＣＨを確認して、規制がかかっていないかの確認と、上りパワコンのための最新干渉量情報を受信する（ステップＳ６）。
【非特許文献１】立川敬二、「Ｗ−ＣＤＭＡ移動通信方式」、丸善株式会社、ｐｐ．２５５−２５６
【発明の開示】
【発明が解決しようとする課題】
【０００７】
しかしながら、上述した背景技術には以下の問題がある。
【０００８】
全グループＩＤ向けのページング情報が一度に送信されるため、送信される情報量が多い問題がある。
【０００９】
そこで本発明は、上記問題に鑑みてなされたものであり、ページングに関する制御ビット数を減少させることができる送信装置、受信装置および通信方法を提供することを目的とする。
【課題を解決するための手段】
【００１０】
上記課題を解決するため、本発明の送信装置は、
ページングチャネルを受信するユーザの属するグループＩＤと、前記ページングチャネルが送信される無線リソース情報とを含むページングインジケータ情報を生成するページングインジケータ情報生成手段；
前記ページングインジケータ情報を多重する多重手段；
を備え、
前記ページングインジケータ情報生成手段は、無線リソース情報として、システム帯域幅を連続する周波数サブキャリアからなるブロックに分割した周波数ブロックのうち、前記ページングチャネルに割り当てる周波数ブロックを示す情報を生成することを特徴の１つとする。
【００１１】
このように構成することにより、ページングインジケータ情報のビット数を低減することができる。
【００１２】
また、本発明の受信装置は、
ページングチャネルを受信するユーザの属するグループＩＤと、前記ページングチャネルが送信される無線リソース情報とを含むページングインジケータ情報を受信するページングインジケータ情報受信手段；
前記グループＩＤに基づいて、呼出し対象となるユーザＩＤを示す情報を含むページングチャネルを受信するページング情報受信手段；
を備え、
前記ページングインジケータ情報受信手段は、無線リソース情報として、システム帯域幅を連続する周波数サブキャリアからなるブロックに分割した周波数ブロックのうち、前記ページングチャネルに割り当てられた周波数ブロックを示す情報を受信することを特徴の１つとする。
【００１３】
このように構成することにより、報知チャネルにより報知されたページングチャネルを受信するユーザの属するグループＩＤの数に基づいて、ページングチャネルを受信するユーザの属するグループＩＤを特定できる。
【００１４】
また、本発明のページング情報受信方法は、
ページングチャネルを受信するユーザの属するグループＩＤと、前記ページングチャネルが送信される無線リソース情報とを含むページングインジケータ情報を受信するステップと、
前記グループＩＤに基づいて、呼出し対象となるユーザＩＤを示す情報を含むページングチャネルを受信するステップと、
を備え、
前記ページングインジケータ情報を受信するステップは、無線リソース情報として、システム帯域幅を連続する周波数サブキャリアからなるブロックに分割した周波数ブロックのうち、前記ページングチャネルに割り当てられた周波数ブロックを示す情報を受信することを特徴の１つとする。
【００１５】
このようにすることにより、報知チャネルにより報知されたページングチャネルを受信するユーザの属するグループＩＤの数に基づいて、ページングチャネルを受信するユーザの属するグループＩＤを特定できる。
【発明の効果】
【００１６】
本発明の実施例によれば、ページングに関する制御ビット数を減少させることができる送信装置、受信装置およびページング情報受信方法を実現できる。
【発明を実施するための最良の形態】
【００１７】
次に、本発明の実施例について図面を参照して説明する。
なお、実施例を説明するための全図において、同一機能を有するものは同一符号を用い、繰り返しの説明は省略する。
【００１８】
本発明の実施例にかかる無線通信システムについて説明する。
【００１９】
本実施例にかかる無線通信システムは、基地局と移動局とを備える。基地局は送信装置１０を備え、移動局は受信装置２０を備える。
【００２０】
次に、本実施例にかかる送信装置１０について、図３を参照して説明する。
【００２１】
送信装置１０は、報知チャネルと、ページングインジケータチャネルと、ページングチャネルとを送信する。この報知チャネルを用いて、受信装置２０を備える移動局は、セルサーチを行う。
【００２２】
さらに、受信装置２０を備える移動局は、図４に示すように、ページングインジケータチャネルを受信することにより、自移動局の属するグループＩＤが呼ばれているか否かを判断し、自移動局が呼ばれていると判断した場合、ページングチャネルのリソースブロック情報（ＲＢ  ｉｎｄｅｘ）を得る。さらに、受信装置２０を備える移動局は、ページングチャネルを受信することにより、自移動局のユーザＩＤ（ＴＭＳＩ）が呼ばれているか否かを判断し、呼ばれている場合、呼ばれている理由、例えば通信種別を示すＣａｕｓｅＩＤを得る。その後、移動局は（ＢＣＨを確認してから）、ランダムアクセスチャネル（ＲＡＣＨ：  Ｒａｎｄｕｍ  Ａｃｃｅｓｓ  Ｃｈａｎｎｅｌ）でイニシャルアクセスを行う。
【００２３】
送信装置１０は、ネットワークからの呼出し信号が入力されるページングチャネル生成部１０２と、ページングチャネル生成部１０２の出力信号が入力されるチャネル符号化データ変調部１０８３およびページングインジケータ情報生成手段としてのページングインジケータチャネル生成部１０６と、ページングインジケータチャネル生成部１０６の出力信号が入力されるチャネル符号化データ変調部１０８２と、システム情報生成部１０４と、システム情報生成部１０４の出力信号が入力されるチャネル符号化データ変調部１０８１と、チャネル符号化データ変調部１０８１、チャネル符号化データ変調部１０８２およびチャネル符号化データ変調部１０８３からの出力信号がそれぞれ入力される乗算部１１０１、１１０２および１１０３と、乗算部１１０１、１１０２および１１０３の出力信号が入力される多重部１１２と、乗算部１１０１、１１０２および１１０３に入力するスクランブルコードを生成するスクランブルコード生成器１１４と、乗算部１１０１、１１０２および１１０３に入力するスクランブルコードを制御する制御部１１６とを備える。
【００２４】
システム情報発生部１０４から入力されたシステム情報、例えばＰＩＣＨの受信タイミング、間欠受信間隔、ＰＩＣＨのＭＣＳ、ＰＩＣＨの最大呼出し数、ＰＣＨのリソースブロックを示す情報と該リソースブロックを示す情報に対応する位置との関係を示す情報のうち少なくとも１つを示す情報は、チャネル符号化データ変調部１０８１において、符号化処理および変調処理が行われる。
【００２５】
また、ネットワークから入力された呼び出し信号に基づいてページングチャネル生成部１０２において生成されたページング情報は、チャネル符号化データ変調部１０８３において、符号化処理および変調処理が行われる。
【００２６】
また、ページングチャネル生成部１０２は、呼出し情報を受信したことをページングインジケータチャネル生成部１０６に入力する。ページングインジケータチャネル生成部１０６は、ページングチャネル生成部１０２により通知された呼出し情報に基づいて、ページングインジケータチャネルを生成する。
【００２７】
ページングインジケータチャネル生成部１０６で生成されたページングインジケータチャネルは、チャネル符号化データ変調部１０８２において、符号化処理および変調処理が行われる。
【００２８】
そして、変調されたシステム情報、ページングインジケータチャネルおよびページングチャネルは、乗算器１１０１、１１０２および１１０３において、セル固有のスクランブリング符号、セクタ固有のスクランブリング符号およびセル固有のスクランブリング符号が乗算される。乗算器１１０１、１１０２および１１０３には、スクランブルコード生成器１１４の出力する制御部１１６において制御されたスクランブリング符号が入力される。
【００２９】
スクランブリング符号が乗算されたシステム情報、ページングインジケータチャネルおよびページングチャネルは、多重部１１２において、それぞれ報知チャネル、ページングインジケータチャネルおよびページングチャネルに多重される。
【００３０】
例えば、多重部１１２では、図５Ａに示すように、ＰＩＣＨをＰＣＨに対して、少なくとも１サブフレーム前送りとなるようにマッピングする。すなわち、多重部１１２は、ページングインジケータチャネルを、ページングチャネルに対して少なくとも１サブフレーム間隔を設けてマッピングする。このようにすることにより、受信装置２０における受信処理を簡略化できる。すなわち。受信装置２０では、ＰＩＣＨに基づいて、ＰＣＨを受信するか否かが判断される。したがって、ＰＩＣＨとＰＣＨとの間に少なくとも１サブフレーム程度間隔を空けるほうが望ましい。図５Ａでは、パイロットチャネルなどのその他のチャネルは省略される。
【００３１】
また、多重部１１２では、ＰＩＣＨ、ＰＣＨを送信する場合に、パイロットチャネルを多重するようにしてもよい。
【００３２】
この場合、図５Ｂに示すように、ＰＣＨ、ＰＩＣＨ送信時において、ＰＣＨ、ＰＩＣＨ復調用のセクタ共通パイロットチャネルとＬ１／Ｌ２制御チャネル復調用のセクタ固有パイロットチャネルと多重する。さらに、セクタ共通パイロットとセクタ固有パイロットは少なくとも１つの同じＯＦＤＭシンボルから送信するようにしてもよい。
【００３３】
次に、報知チャネル、ページングインジケータチャネルおよびページングチャネルの生成処理について説明する。
【００３４】
システム情報発生部１０４は、報知チャネルで送信するシステム情報を生成する。システム情報発生部１０４は、ページングインジケータチャネル（ＰＩＣＨ）の受信タイミングを示す情報、間欠受信間隔を示す情報、ＰＩＣＨのＭＣＳ、ＰＩＣＨの最大の呼出し数、ページングチャネルのリソースブロックを示す識別子とリソースブロックの位置との関係を示す情報のうち少なくとも１つを示す情報を生成する。
【００３５】
３ＧＰＰ  Ｅｖｏｌｖｅｄ  ＵＴＲＡ  ａｎｄ  ＵＴＲＡＮでは、１．２５ＭＨｚから２０ＭＨｚのシステム帯域幅を取り得るが、本実施例にかかる送信装置１０では、報知チャネルを常に１．２５ＭＨｚ、もしくは１．２５ＭＨｚまたは５ＭＨｚで送信する。
【００３６】
このように、報知チャネルの送信帯域幅を予め決定することにより、移動局はシステム帯域幅がわからない段階においても報知チャネルを受信することが可能であり、報知チャネルを受信することによってシステム帯域幅を認識することができる。
【００３７】
また、報知チャネルを同期チャネルと同じ中心周波数で送信することにより、移動局はセルサーチ後、中心周波数を変更することなく、直ちに報知チャネルを受信することができるため、短時間で必要最低限のシステム情報を得ることができる。また、報知チャネルの中心周波数は、システム帯域幅の中心とすることにより、移動局の受信処理を簡易化することができる。
【００３８】
また、報知チャネルが送信される帯域幅は、全ての移動局が最低限受信しなければならない帯域幅以下で送信することにより、全ての移動局が報知チャネルを受信できるようにすることができる。
【００３９】
ページングインジケータチャネル生成部１０６は、ネットワークからの呼び出し信号に基づいてページングインジケータ情報を生成する。ページングインジケータチャネル生成部１０６は、ページングインジケータ情報として、ページングチャネルを受信するユーザの属するグループＩＤと、ページングチャネルの無線リソース情報を示すリソースブロックインデックス（ＲＢ  ｉｎｄｅｘ）を示す情報を生成する。
【００４０】
例えば、ページングインジケータチャネル生成部１０６は、グループＩＤとして、直接グループＩＤを指示する情報を生成する。例えば、図６に示すように、所定の数ビット、例えば６ビットからなる呼出しグループＩＤを生成する。図６によれば、６ビットから構成される呼出しグループＩＤが４個生成されるが、４以上としてもよいし４以下としてもよい。
【００４１】
この場合、最大４グループを同時に呼び出すことができる。この同時に呼出しできるグループＩＤの数は、例えば、報知チャネルにより通知される。この場合ＰＩＣＨのグループＩＤに必要なビット数は４×６＝２４ビットとなる。各呼出しグループＩＤは６ビットで構成されるため、１２８までのグループＩＤを示すことができる。このようにした場合、呼出しＩＤ数が４に満たない場合には、０を入れる。
【００４２】
このように、直接グループＩＤを指示する形式とすることにより、ＰＣＨを受信すべきグループＩＤに使用されるビット数を低減できる。直接グループＩＤを指示する形式では、同時に呼び出せるグループＩＤ数に制限があるが、直接呼び出すグループＩＤの数を増加させることにより解決できる。
【００４３】
これまで、グループＩＤは、フラグ型により指定されていた。フラグ型では、図７に示すように、ＰＣＨを受信すべきユーザグループ数分フラグが用意され、該フラグの値により呼び出すグループの指定が行われる。例えば、図７に示すように、グループの数が６４である場合に、グループＩＤ毎にフラグが用意され、そのフラグを“＋１”にすることにより呼出すグループが指示される。
【００４４】
また、ページングインジケータチャネル生成部１０６は、ＲＢインデックスを示す情報として、ＰＣＨに割り当てるＲＢの数を示す情報を生成する。この場合、ＲＢの数を示す情報に対応するＰＣＨにおけるＲＢの位置は予めシステムで決められる。ここで、リソースブロックとは、システム帯域幅を連続する周波数サブキャリアからなるブロックに分割した周波数ブロックを示す。
【００４５】
例えば、図８Ａに示すように、ＲＢの数を示す情報として１が生成された場合、複数のリソースブロックの内、所定位置のリソースブロックをＰＣＨに割り当てると予め決定される。例えば、全リソースブロック数が１２である場合、例えば、１番目のリソースブロックを割り当てると決定される。
【００４６】
また、例えば、図８Ｂに示すように、ＲＢの数を示す情報として２が生成された場合、複数のリソースブロックの内、所定の２カ所の位置のリソースブロックをＰＣＨに割り当てると予め決定される。例えば、全リソースブロック数が１２である場合、例えば、１番目と７番目のリソースブロックを割り当てると決定される。
【００４７】
また、例えば、図８Ｃに示すように、ＲＢの数を示す情報として３が生成された場合、複数のリソースブロックの内、所定の３カ所の位置のリソースブロックをＰＣＨに割り当てると予め決定される。例えば、全リソースブロック数が１２である場合、例えば、１番目と５番目と９番目のリソースブロックを割り当てると決定される。
【００４８】
ページングチャネル生成部１０２は、ページング情報を生成する。ページングチャネル生成部１０２は、ページング情報として、ユーザＩＤと、ＣａｕｓｅＩＤを示す情報を生成する。
【００４９】
後述するように、ページングインジケータ情報およびページング情報を送信する場合は、同一基地局内のセクタ間で共通のスクランブルコードをかけて受信側でのソフトコンバイニング受信を可能とする。
【００５０】
また、ページングインジケータチャネルおよびページングチャネルは、報知チャネルが送信される周波数と同じ中心周波数で送信する。このようにすることにより、移動局の受信処理を簡易化できる。
【００５１】
また、ページングインジケータチャネルおよびページングチャネルは、システム帯域幅の中心周波数と同じ中心周波数で送信することにより、移動局の受信処理を簡易化できる。
【００５２】
また、ページングチャネルが送信される帯域幅は、全ての移動局が最低限受信しなければならない帯域幅以下で送信することにより、全ての移動局がページング信号を受信できるようにすることができる。
【００５３】
また、ページングチャネルは、１つの無線リソースブロックまたはその一部を用いて送信することにより、移動局の受信処理を簡易化できる。
【００５４】
次に、制御部１１６における処理について説明する。
【００５５】
ＣＤＭＡにおいて、複数の基地局、複数のセクタで同様の信号を送信する場合、セクタの境界領域に在圏する移動局では、両信号を受信できる。すなわち、移動局は両セクタから送信される信号を受信できる。しかし、基地局では２倍の無線リソースを使うことになり、移動局では両セクタから送信される信号が互いに干渉となるため、無駄が多くなり、結果として効率が落ちてしまう。
【００５６】
ＯＦＤＭＡにおいては、セクタ間で共通のスクランブルコードを用い、かつ、送信タイミングを一致させた場合、隣接するセクタからの信号は干渉とはならず、各セクタから送信された信号が受信される時点で合成される（ソフトコンバイニング）。
【００５７】
具体的には、制御部１１６は、ページングインジケータチャネルおよびページングチャネルで送信されるページングインジケータ情報およびページング情報に対して、スクランブルコードを共通化し、送信タイミングを合わせるように制御する。例えば、基地局は、共通のスクランブルコードが乗算されたページングインジケータ情報およびページング情報を両セクタから、セクタ間のスケジューラのコーディネーションにより同一タイミングで送信する。このようにすることにより、受信側では合成されたページングインジケータ情報およびページング情報が受信される。
【００５８】
また、制御部１１６は、ページングインジケータチャネルおよびページングチャネルで送信されるページングインジケータ情報およびページング情報に対して、複数のセクタにおいて、セクタ固有の直交コードを用いるようにしてもよい。その結果、周波数領域でセクタ固有の直交コードが各セクタから送信されるページングインジケータチャネルおよびページングチャネルに多重される。
【００５９】
このようにすることにより、受信側では同一基地局のセクタ間におけるページングインジケータチャネルおよびページングチャネル間の直交性は保たれるので、各セクタのページングインジケータチャネルおよびページングチャネルを互いに干渉を受けずに受信できる。
【００６０】
一例として、セクタ１、セクタ２から異なる直交コード（Ｃ１，Ｃ２）を用いて送信した場合について、図９を参照して説明する。
【００６１】
セクタ１からはスクランブルコードＣ１が乗算されたページングインジケータチャネルおよびページングチャネルが送信され、セクタ２からはスクランブルコードＣ２が乗算されたページングインジケータチャネルおよびページングチャネルが送信される。
【００６２】
例えば、図９Ｂに示すように、コード１はｐ１、ｐ１、ｐ１、ｐ１、ｐ１、ｐ１、ｐ１、ｐ１、ｐ１、・・・の系列から構成され、コード２はｐ１、ｐ２、ｐ３、ｐ１、ｐ２、ｐ３、ｐ１、ｐ２、ｐ３、・・・の系列から構成される（この例はＳｐｒｅａｄｉｎｇ  ｆａｃｔｏｒが３の場合を示している）。ここで、例えばｐ１＝１、ｐ２＝ｅｘｐ｛ｊ（２／３）π｝、ｐ３＝ｅｘｐ｛−ｊ（２／３）π｝とすることにより、コード1とコード２を直交させることができる。Ｃ１とＣ２は直交するので、受信側では各セクタのページングインジケータチャネルおよびページングチャネルを互いに干渉を受けずに受信できる。
【００６３】
また、ページングインジケータ情報をＬ１／Ｌ２制御チャネルで送信するようにしてもよい。この場合、送信装置１０は、図１０に示すように、ページングチャネル生成部１０２の出力信号が入力されるＬ１／Ｌ２シグナリング生成部１０７と、Ｌ１／Ｌ２シグナリング生成部１０７の出力信号が入力されるチャネル符号化データ変調部１０８４と、チャネル符号化データ変調部１０８４の出力信号が入力される乗算器１１０４とを備える。乗算器１１０４の出力信号は多重部１１２に入力され、乗算器１１０４にはスクランブルコード生成期１１４によりスクランブリングコードが入力される。
【００６４】
Ｌ１／Ｌ２シグナリング生成部１０７は、上述したグループＩＤと、ＲＢインデックスを示す情報とを生成する。グループＩＤと、ＲＢインデックスを示す情報は、チャネル符号化データ変調部１０８４において符号化、変調される。
【００６５】
また、トリガーとなる信号をページングインジケータチャネルにより送信し、ページングインジケータ情報をＬ１／Ｌ２制御チャネルで送信するようにしてもよい。この場合、送信装置１０は、図１０に示した送信装置と同様の構成となる。ページングインジケータチャネル生成部１０６は、トリガーとなる信号を生成する。Ｌ１／Ｌ２シグナリング生成部１０７は、上述したグループＩＤと、ＲＢインデックスを示す情報とを生成する。
【００６６】
また、ページングインジケータ情報のうちグループＩＤをページングインジケータチャネルにより送信し、ページングインジケータ情報のうちＲＢインデックスを示す情報をＬ１／Ｌ２制御チャネルで送信するようにしてもよい。この場合、送信装置１０は、図１０に示した送信装置と同様の構成となる。ページングインジケータチャネル生成部１０６は、上述したグループＩＤを生成する。Ｌ１／Ｌ２シグナリング生成部１０７は、上述したＲＢインデックスを示す情報を生成する。
【００６７】
移動局は、ＤＲＸ周期に基づいて、ＰＩ機能によりページングがあることが通知される。
【００６８】
基地局は、ＤＲＸ（Ｄｉｓｃｏｎｔｉｎｕｏｕｓ  Ｒｅｃｅｐｔｉｏｎ）周期を可変にし、ＤＲＸ周期を通知するようにしてもよい。
【００６９】
ある移動局がＰＩ機能によりページングがあることを通知される周期（ＤＲＸ周期）は、長くするほど移動局の間欠受信間隔が長くなるためバッテリーセービング面で有利である反面、ページング遅延が増大する。ＤＲＸ周期を可変とすることにより、運用面での柔軟性を向上させることができる。
【００７０】
この場合、ＤＲＸ周期は、システム情報で通知される。また、ＤＲＸ周期をセル毎に可変にできる。
【００７１】
また、送信装置１０は、ＰＩ機能をもつチャネル、例えば、ＰＩＣＨまたはＬ１／Ｌ２制御チャネル、または、ページング情報を送信するページングチャネルに対して、ページングに適した送信ダイバーシチを適用するようにしてもよい。送信ダイバーシチを適用することにより、効率的なページング制御情報の送信が可能となる。具体的には、より少ない時間・周波数・電力のトータルの無線リソースで送信が可能となる。
【００７２】
また、制御部１１６は、報知チャネルに対して、スクランブルコードおよび送信タイミングを共通にするように制御するようにしてもよい。
【００７３】
ページングでは、通常のデータチャネル送信時のように基地局−移動局間の制御ループが確立していないため、オープンループの送信ダイバーシチが適する。
例えば、送信ダイバーシチとして、ＳＴＢＣ（Ｓｐａｃｅ  Ｔｉｍｅ  Ｂｌｏｃｋ  Ｃｏｄｅ）、ＳＦＢＣ（Ｓｐａｃｅ  Ｆｒｅｑｕｅｎｃｙ  Ｂｌｏｃｋ  Ｃｏｄｅ）、ＴＳＴＤ（Ｔｉｍｅ  Ｓｗｉｔｃｈｅｄ  Ｔｒａｎｓｍｉｔ  Ｄｉｖｅｒｓｉｔｙ）、ＴＳＴＤが一定周期（時間）で送信アンテナを変えるのに対して、周波数毎に送信アンテナを変えるＦＳＴＤ（Ｆｒｅｑｕｅｎｃｙ  Ｓｗｉｔｃｈｅｄ  Ｔｒａｎｓｍｉｔ  Ｄｉｖｅｒｓｉｔｙ）、ＣＤＤ（Ｃｙｃｌｉｃ  Ｄｅｌａｙ  Ｄｉｖｅｒｓｉｔｙ）のいずれかを適用できる。
【００７４】
また、送信装置１０は、ＰＩ機能をもつチャネル、例えば、ＰＩＣＨまたはＬ１／Ｌ２制御チャネル、または、ページング情報を送信するページングチャネルに対して、時間ダイバーシチを適用するようにしてもよい。
【００７５】
時間ダイバーシチを適用することにより、効率的なページング制御情報の送信が可能となる。具体的には、より少ない時間・周波数・電力のトータルの無線リソースで送信が可能となる。例えば、時間ダイバーシチとして、繰り返し送信を用いる。このようにすることにより、送信側もシンプルであり、受信側で単純なＣｈａｓｅ合成による高品質受信が可能となる。また、例えば、時間ダイバーシチとして、Ｉｎｃｒｅｍｅｎｔａｌ  Ｒｅｄｕｎｄａｎｃｙ（ＩＲ）を用いるようにしてもよい。このようにすることにより、送受信処理は、繰り返し送信を用いる場合と比較して若干複雑になるが、高品質受信が可能となる。
【００７６】
また、時間ダイバーシチにより複数回にわたる送信を行う際に、送信毎に事前に割り当てられた周波数ブロック内で周波数ホッピングを行うようにしてもよい。このように、時間ダイバーシチに加えて、周波数ダイバーシチ効果も得ることができ、高品質でのページングが可能となる。
【００７７】
また、ページングチャネルに割り当てる無線リソースブロックは、一定周期で変えてもよい。これにより、チャネル負荷のランダム化の効果が得られ、無線リソースの効率的な利用が可能となる。
【００７８】
また、周波数ダイバーシチ効果を得るための送信方法としては、ディストリビュート型（Ｄｉｓｔｒｉｂｕｔｅｄ  ｔｒａｎｓｍｉｓｓｉｏｎ）もしくはローカライズド型（Ｌｏｃａｌｉｚｅｄ  ｔｒａｎｓｍｉｓｓｉｏｎ）の送信方法のいずれかを用いる。
【００７９】
また、周波数軸上で繰り返しまたはチャネル符号化を用いて周波数ダイバーシチを用いてもよい。このようにして周波数ダイバーシチ効果を得ることができ、高品質でのページングが可能となる。
【００８０】
次に、本発明の実施例にかかる受信装置２０について、図１１を参照して説明する。
【００８１】
本実施例にかかる受信装置２０は、受信信号が入力される報知情報受信手段としての報知チャネル受信部２０２、ページングインジケータ情報受信手段としてのページングインジケータチャネル（ＰＩＣＨ）受信部２０４およびページング情報受信手段としてのページングチャネル（ＰＣＨ）受信部２０６とを備える。
【００８２】
報知チャネル受信部２０２は、報知情報（ＢＣＨ）を受信する。報知情報には、ＰＩＣＨの受信タイミング、間欠受信間隔、ＰＩＣＨのＭＣＳ、ＰＩＣＨの最大呼出し数、ＰＣＨのリソースブロックを示す情報と、該リソースブロックを示す情報に対応する位置との関係を示す情報が含まれる。
【００８３】
報知チャネル受信部２０２は、受信した報知情報、すなわちＰＩＣＨの受信タイミング、間欠受信間隔、ＰＩＣＨのＭＣＳ、ＰＩＣＨの最大呼出し数、ＰＣＨのリソースブロックを示す情報と、該リソースブロックを示す情報に対応する位置との関係を示す情報をページングインジケータチャネル受信部２０４に入力する。
【００８４】
ページングインジケータチャネル受信部２０４は、報知情報に含まれるＰＩＣＨのＭＣＳ、ＰＩＣＨの最大呼出し数（Ｎ）に基づいて、ページングインジケータ情報の受信処理を行う。ＰＩＣＨ受信部２０４は、ページングインジケータ情報を受信し、該ページングインジケータ情報に含まれるユーザのグループＩＤを参照し、自移動局が属するグループＩＤが該当するか否かを判断する。例えば、ページングインジケータチャネル受信部２０４は入力されたページングインジケータ情報に含まれる呼出しグループＩＤを参照し、自移動局が属するグループＩＤが含まれるか否かを判断し、含まれる場合に自移動局の属するグループＩＤと、ＲＢインデックスをページングチャネル受信部２０６に入力する。
【００８５】
ページングチャネル受信部２０６は、入力されたグループＩＤと、ＲＢインデックスに基づいて、ページングチャネルを受信する。
【００８６】
また、ページングインジケータチャネル受信部２０４は、ソフトコンバイニングを適用し、ページングインジケータチャネルを受信する。
【００８７】
ページングチャネル受信部２０６は、自移動局の属するグループＩＤと、リソースブロックインデックスが入力された場合、ページングチャネルを受信し、ページングチャネルに含まれるユーザＩＤを示す情報を参照し、自移動局のユーザＩＤが含まれるか否かを判断する。自移動局のユーザＩＤが含まれる場合、移動局はＲＡＣＨを送信し、イニシャルアクセスを行い、通信を開始する。
【００８８】
また、ページングチャネル受信部２０６は、ソフトコンバイニングを適用し、ページングチャネルを受信する。
【００８９】
セクタ間でソフトコンバイニングを行うためには各セクタからの受信信号のチャネル推定値が必要である。
【００９０】
受信装置２０では、報知チャネル受信部２０２、ページングインジケータチャネル受信部２０４およびページングチャネル受信部２０６において、セクタ固有のパイロットチャネルを使って、セクタ毎のチャネル推定値を求め、該セクタ毎のチャネル推定値の合計からソフトコンバイニング用のチャネル推定値が求められる。このようにすることにより、セクタ独立のパイロットチャネルは、共有データチャネルなどの受信に必要なので、余計なパイロットの追加の必要が無く実現できる。
【００９１】
また、送信装置１０からセクタ共通のパイロットチャネルを別途送信するようにし、受信装置２０は、報知チャネル受信部２０２、ページングインジケータチャネル受信部２０４およびページングチャネル受信部２０６において、ソフトコンバイニング用のチャネル推定値を直接求めるようにしてもよい。このようにすることにより、ソフトコンバイニング時のチャネル推定が簡単である。
【００９２】
また、Ｌ１／Ｌ２制御チャネルによりグループＩＤ、リソースブロックインデックスが送信される場合の受信装置の構成は、図１２に示すように、図１１を参照して説明した受信装置に、受信信号が入力されるＬ１／Ｌ２シグナリング受信部２０８を備える。Ｌ１／Ｌ２シグナリング受信部２０８の出力信号はページングチャネル受信部２０６に入力される。
【００９３】
次に、本実施例にかかる受信装置２０の動作について、図１３を参照して説明する。
【００９４】
報知チャネル受信部２０２は、報知チャネル（ＢＣＨ）を受信する（ステップＳ１２０２）。例えば、報知チャネル受信部２０２は、報知チャネルに含まれる、ＰＩＣＨの受信タイミング、間欠受信間隔、ＰＩＣＨのＭＣＳ、ＰＩＣＨの最大呼出し数、ＰＣＨのリソースブロックを示す情報と該リソースブロックを示す情報に対応する位置との関係を示す情報を得る。
【００９５】
次に、ページングインジケータチャネル受信部２０４は、ページングインジケータチャネルを周期的に受信する（ステップＳ１２０４）。
【００９６】
次に、ページングインジケータチャネル受信部２０４は、受信したページングインジケータ情報に基づいて、自移動局の属するグループＩＤが含まれているか否かを判断する（ステップＳ１２０６）。
【００９７】
自移動局の属するグループＩＤが含まれていると判断された場合（ステップＳ１２０６：ＹＥＳ）、ページングインジケータチャネル受信部２０４は、ページングチャネル受信部２０６に、グループＩＤとリソースブロックのインデックス（ＲＢ  ｉｎｄｅｘ）を入力する。その結果、ページングチャネル受信部２０６は、ページングチャネルを受信する（ステップＳ１２０８）。
【００９８】
一方、自移動局の属するグループＩＤが含まれていると判断されない場合（ステップＳ１２０６：ＮＯ）、ステップＳ１２０４に戻る。
【００９９】
次に、ページングチャネル受信部２０６は、受信したページングチャネルに基づいて、自移動局のユーザＩＤが含まれるか否かを判断する（ステップＳ１２１０）。
【０１００】
自移動局のユーザＩＤが含まれると判断した場合（ステップＳ１２１０：ＹＥＳ）、移動局はランダムアクセスチャネルを送信し、イニシャルアクセスを行う（ステップＳ１２１２）。
【０１０１】
一方、自移動局のユーザＩＤが含まれると判断されない場合（ステップＳ１２１０：ＮＯ）、ステップＳ１２０４に戻る。
【０１０２】
また、ページングインジケータ情報を構成するグループＩＤおよびＲＢインデックスがＬ１／Ｌ２制御チャネルで送信される場合について、図１４を参照して説明する。
【０１０３】
この場合、Ｌ１／Ｌ２シグナリング受信部２０８は、送信装置１０から送信されたＬ１／Ｌ２制御チャネルの受信処理を行い、グループＩＤと、リソースブロックのインデックスをページングチャネル受信部２０６に入力する。以降、図１３を参照して説明したステップＳ１２０６以降の処理が行われる。
【０１０４】
また、トリガー（Ｔｒｉｇｇｅｒ）となる信号がページングインジケータチャネルにより送信され、ページングインジケータ情報を構成するグループＩＤおよびＲＢインデックスがＬ１／Ｌ２制御チャネルで送信される場合について、図１５を参照して説明する。
【０１０５】
この場合、送信装置１０から送信されたページングインジケータチャネルにより送信されたトリガー信号がページングインジケータチャネル受信部２０４において受信されたことをトリガーとして、Ｌ１／Ｌ２シグナリング受信部２０８は、Ｌ１／Ｌ２制御チャネルの受信処理を行い、グループＩＤと、ＲＢインデックスをページングチャネル受信部２０６に入力する。以降、図１３を参照して説明したステップＳ１２０６以降の処理が行われる。
【０１０６】
次に、ページングインジケータ情報のうちグループＩＤをページングインジケータチャネルにより送信し、ページングインジケータ情報のうちＲＢインデックスを示す情報をＬ１／Ｌ２制御チャネルで送信する場合について、図１６を参照して説明する。
【０１０７】
この場合、ページングインジケータチャネル受信部２０４は、送信装置１０から送信されたページングインジケータチャネルの受信処理を行い、グループＩＤを取得し、次に、Ｌ１／Ｌ２シグナリング受信部２０８は、Ｌ１／Ｌ２制御チャネルの受信処理を行いリソースブロックのインデックスを取得し、ページングチャネル受信部２０６に入力する。以降、図１３を参照して説明したステップＳ１２０６以降の処理が行われる。
【産業上の利用可能性】
【０１０８】
本発明にかかる送信装置、受信装置およびページング情報受信方法は、無線通信システムに適用できる。
【図面の簡単な説明】
【０１０９】
【図１】ページング情報の受信手順を示すフロー図である。
【図２】グループＩＤを示す説明図である。
【図３】本発明の一実施例にかかる送信装置を示す部分ブロック図である。
【図４】本発明の一実施例にかかるページング情報の受信手順を示す説明図である。
【図５Ａ】本発明の一実施例にかかるページング情報のマッピングの一例を示す説明図である。
【図５Ｂ】本発明の一実施例にかかるページング情報のマッピングの一例を示す説明図である。
【図６】本発明の一実施例にかかるページングインジケータチャネルにおけるグループＩＤを示す説明図である。
【図７】ページングインジケータチャネルのフォーマットを示す説明図である。
【図８Ａ】本発明の一実施例にかかるページングインジケータチャネルにおけるリソースブロックインデックスを示す説明図である。
【図８Ｂ】本発明の一実施例にかかるページングインジケータチャネルにおけるリソースブロックインデックスを示す説明図である。
【図８Ｃ】本発明の一実施例にかかるページングインジケータチャネルにおけるリソースブロックインデックスを示す説明図である。
【図９Ａ】本発明の一実施例にかかるページングインジケータチャネルとページングインジチャネルの送信方法を示す説明図である。
【図９Ｂ】本発明の一実施例にかかるページングインジケータチャネルとページングインジチャネルの送信方法を示す説明図である。
【図１０】本発明の一実施例にかかる送信装置を示す部分ブロック図である。
【図１１】本発明の一実施例にかかる受信装置を示す部分ブロック図である。
【図１２】本発明の一実施例にかかる受信装置を示す部分ブロック図である。
【図１３】本発明の一実施例にかかる受信装置の動作を示すフロー図である。
【図１４】本発明の一実施例にかかる受信装置の動作を示す説明図である。
【図１５】本発明の一実施例にかかる受信装置の動作を示す説明図である。
【図１６】本発明の一実施例にかかる受信装置の動作を示す説明図である。
【符号の説明】
【０１１０】
１０  送信装置
２０  受信装置
【図１】
0004790484.tif 000002
【図２】
0004790484.tif 000003
【図３】
0004790484.tif 000004
【図４】
0004790484.tif 000005
【図６】
0004790484.tif 000006
【図７】
0004790484.tif 000007
【図８Ａ】
0004790484.tif 000008
【図８Ｂ】
0004790484.tif 000009
【図８Ｃ】
0004790484.tif 000010
【図９Ａ】
0004790484.tif 000011
【図９Ｂ】
0004790484.tif 000012
【図１０】
0004790484.tif 000013
【図１１】
0004790484.tif 000014
【図１２】
0004790484.tif 000015
【図１３】
0004790484.tif 000016
【図１４】
0004790484.tif 000017
【図１５】
0004790484.tif 000018
【図１６】
0004790484.tif 000019
【図５Ａ】
0004790484.tif 000020
【図５Ｂ】
0004790484.tif 000021